(57)【特許請求の範囲】
【請求項１】
エレベータの昇降移動する乗りかごを形成する側板の内側の面に設けられた表示部と、前記表示部に積層され、接触の有無及び前記接触があった位置である接触位置を検出する位置検出部と、前記位置検出部が検出した接触位置に基づいて、前記エレベータの操作に関する操作画面を表示する表示領域を算出し、前記表示領域に前記操作画面を表示させ、表示された前記操作画面の前記表示領域内への接触を前記位置検出部が検出した場合、前記操作画面への操作を受け付ける処理制御部と、を備え、前記処理制御部は、前記位置検出部で同時に複数の接触位置を検出し、かつ、前記複数の接触位置に基づいてそれぞれ算出する表示領域が重ならない場合、重ならない複数の前記表示領域にそれぞれ前記操作画面を表示させ、前記位置検出部で同時に複数の接触位置を検出し、前記複数の接触位置に基づいてそれぞれ算出する複数の表示領域が重なる場合、前記複数の接触位置の中間の位置に基づいて１つの表示領域を算出し、１つの表示領域に１つの前記操作画面を表示させる、ことを特徴とする、エレベータ用操作盤。
【請求項２】
エレベータの昇降移動する乗りかごを形成する側板の内側の面に設けられた表示部と、前記表示部に積層され、接触の有無及び前記接触があった位置である接触位置を検出する位置検出部と、前記乗りかごの内部を撮像し、乗りかごの内部の利用者の位置を検出するカメラと、前記カメラが検出した利用者の位置に基づいて、前記エレベータの操作に関する操作画面を表示する表示領域を算出し、前記表示領域に前記操作画面を表示させ、表示された前記操作画面の前記表示領域内への接触を前記位置検出部が検出した場合、前記操作画面への操作を受け付ける処理制御部と、を備え、前記処理制御部は、前記カメラが同時に複数の前記利用者を検出し、複数の前記利用者のそれぞれの位置から算出する複数の表示領域が重ならない場合、前記複数の表示領域にそれぞれ前記操作画面を表示させ、前記カメラが同時に複数の前記利用者を検出し、前記複数の前記利用者のそれぞれの位置から算出する複数の表示領域が重なる場合、前記複数の表示領域の中間の位置に基づいて算出した１つの表示領域に１つの前記操作画面を表示させる、ことを特徴とする、エレベータ用操作盤。
【請求項３】
前記処理制御部は、
前記位置検出部が前記接触の検出を開始してから終了するまでの時間が閾値時間以内である場合、前記表示部に前記操作画面を表示させ、閾値時間より長い場合、前記表示部に前記操作画面を表示させない、請求項１に記載のエレベータ用操作盤。
【請求項４】
前記処理制御部は、前記表示部に前記操作画面を表示させた後、前記操作画面への操作を受け付けた場合または前記操作画面への操作を受け付けない状態で設定した時間が経過した場合、前記表示部に、前記操作画面の表示を終了し広告画像及び前記広告画像上を移動する操作画面表示ボタンを含む広告画面を表示させ、前記広告画面を表示している状態で前記操作画面表示ボタンの表示領域内への接触を前記位置検出部で検出した場合、前記表示部に前記操作画面を表示させる、請求項１又は２に記載のエレベータ用操作盤。
【請求項５】
音声を発生させるスピーカをさらに備え、前記位置検出部は、前記接触の面積である、接触面積を検出し、前記処理制御部は、前記位置検出部が検出した前記接触面積が閾値面積より大きい場合、手書きでの入力を受け付ける特殊操作画面を前記表示部に表示させ、かつ、前記特殊操作画面への入力の案内をする音声を前記スピーカから出力させる、請求項１に記載のエレベータ用操作盤。
【請求項６】
前記処理制御部は、前記乗りかごの扉を閉じる操作が行われている場合、前記扉を閉じる操作の入力を受け付ける機能を除外した操作画面を前記表示部に表示させる、請求項１又は２に記載のエレベータ用操作盤。
【請求項７】
前記処理制御部は、前記乗りかごの現在の昇降位置、昇降方向及び行先階に登録済みの階の各情報を取得し、前記昇降位置より前記昇降方向と反対側にある階と、前記行先階に登録済みの階と、を行先階に追加で登録不可能な階として抽出し、前記登録不可能な階を行先階に登録する操作の入力を受け付ける機能を除外した操作画面を前記表示部に表示する、請求項１又は２に記載のエレベータ用操作盤。
【発明の詳細な説明】
【技術分野】
【０００１】
本発明の実施形態は、エレベータ用操作盤に関する。
【背景技術】
【０００２】
従来、エレベータは、昇降路内を乗りかごが移動することにより、乗りかごを任意の階床に移動させる。このようなエレベータは、エレベータを操作する操作盤が、乗りかご内の扉の横、及び乗りかごを形成する側板に設けられている。
【先行技術文献】
【特許文献】
【０００３】
【特許文献１】特開平０６−１９１７５３号公報
【特許文献２】特開２０１１−５１７１９号公報
【発明の概要】
【発明が解決しようとする課題】
【０００４】
従来、エレベータの利用者は、エレベータを操作する際、操作盤が設けられている所定の位置まで移動しなければならなかった。エレベータの利用者の人数が多いときには、所定の位置まで移動できない利用者が出てしまい、使い勝手が悪くなることがあった。
【０００５】
本発明が解決しようとする課題は、上記に鑑みてなされたものであって、エレベータの利用者が、エレベータを操作する際、操作盤が設けられている所定の位置まで移動しなくてもよいエレベータ用操作盤を提供することである。
【課題を解決するための手段】
【０００６】
実施形態のエレベータ用操作盤は、表示部と、位置検出部と、処理制御部と、を備える。表示部は、エレベータの昇降移動する乗りかごを形成する側板の内側の面に設けられている。位置検出部は、表示部に積層され、接触の有無及び接触があった位置である接触位置を検出する。処理制御部は、位置検出部が検出した接触位置に基づいて、エレベータの操作に関する操作画面を表示する表示領域を算出し、表示領域に操作画面を表示させ、表示された操作画面の表示領域内への接触を位置検出部が検出した場合、操作画面への操作を受け付ける。処理制御部は、位置検出部で同時に複数の接触位置を検出し、かつ、複数の接触位置に基づいてそれぞれ算出する表示領域が重ならない場合、重ならない複数の表示領域にそれぞれ操作画面を表示させる。処理制御部は、位置検出部で同時に複数の接触位置を検出し、複数の接触位置に基づいてそれぞれ算出する複数の表示領域が重なる場合、複数の接触位置の中間の位置に基づいて１つの表示領域を算出し、１つの表示領域に１つの操作画面を表示させる。
【図面の簡単な説明】
【０００７】
【図１】図１は、実施形態１に係るエレベータ用操作盤が用いられるエレベータの概略構成例を示すブロック図である。
【図２】図２は、実施形態１に係るエレベータ用操作盤が設けられた乗りかごの内側を扉の方向から見た図である。
【図３】図３は、実施形態１に係るエレベータ用操作盤の構成例を示すブロック図である。
【図４】図４は、実施形態１に係るエレベータ用操作盤に表示される操作画面の一例を示す図である。
【図５】図５は、実施形態１に係るエレベータ用操作盤の動作の一例を示す図である。
【図６】図６は、実施形態１に係るエレベータ用操作盤の動作の別の一例を示す図である。
【図７】図７は、実施形態１に係るエレベータ用操作盤の一連の動作を示すフローチャートである。
【図８】図８は、実施形態２に係るエレベータ用操作盤の一連の動作を示すフローチャートである。
【図９】図９は、実施形態３に係るエレベータ用操作盤の一連の動作を示すフローチャートである。
【図１０】図１０は、実施形態４に係るエレベータ用操作盤に表示される広告画面の一例を示す図である。
【図１１】図１１は、実施形態４に係るエレベータ用操作盤の一連の動作を示すフローチャートである。
【図１２】図１２は、実施形態５に係るエレベータ用操作盤を含むエレベータの一連の動作を示すフローチャートである。
【図１３】図１３は、実施形態６に係るエレベータ用操作盤の一連の動作を示すフローチャートである。
【図１４】図１４は、実施形態７に係るエレベータ用操作盤の一連の動作を示すフローチャートである。
【図１５】図１５は、実施形態８に係るエレベータ用操作盤の一連の動作を示すフローチャートである。
【発明を実施するための形態】
【０００８】
［実施形態１］
図１は、実施形態１に係るエレベータ用操作盤１２が用いられるエレベータ１の概略構成例を示すブロック図である。
【０００９】
本実施形態に係るエレベータ用操作盤１２は、図１に示すようなエレベータ１に用いられる。エレベータ１は、乗りかご２、カウンタウェイト３、メインロープ４、巻上機５、昇降制御装置１０を有する。エレベータ１は、乗りかご２とカウンタウェイト３とをメインロープ４で連結したいわゆるつるべ式のエレベータである。エレベータ１は、乗場６が設けられる。乗りかご２は、建物に設けられた昇降路７を鉛直方向上下、すなわち図１に示すＺ方向、に昇降可能である。乗りかご２の上昇方向は、図１に示す＋Ｚ方向であり、乗りかご２の下降方向は、図１に示す−Ｚ方向である。エレベータ１は、乗りかご２を昇降路７内でＺ方向に昇降移動させることで任意の目的階の乗場６に移動させる。
【００１０】
乗りかご２は、エレベータ用操作盤１２を有する。エレベータ用操作盤１２は、乗りかご２の内部に設けられる。エレベータ用操作盤１２は、乗りかご２の内部にいる利用者からの操作の入力を受け付ける。
【００１１】
メインロープ４は、巻上機５のメインシーブ５ａ及びそらせシーブ５ｂ等に掛けられる。メインロープ４は、一端に乗りかご２が接続され、他端にカウンタウェイト３が接続される。巻上機５は、動力を発生させる電動機５ｃを有する。電動機５ｃは、モータが例示されるが、本実施形態はこれに限定されない。巻上機５は、電動機５ｃが駆動することで、電動機５ｃに連結されたメインシーブ５ａが回転駆動する。巻上機５は、メインシーブ５ａとメインロープ４との間に生じる摩擦力を利用して、メインロープ４を電動で巻き上げる。
【００１２】
乗場６は、乗りかご２が着床可能な各エレベータ停止階床、すなわち階床に設けられる。各階床は、数字が付されており、地上最も低い階床が１階であり、上昇方向に２階、３階、等と順次付されており、地下最も高い階床が地下１階であり、下降方向に地下２階、地下３階、等と順次付されている。各乗場６は、各乗場操作盤９を有する。各乗場操作盤９は、各乗場６にいる利用者からの操作の入力を受け付ける。各乗場操作盤９は、各乗場６のホールインジケータボックス（Ｈａｌｌ  Ｉｎｄｉｃａｔｏｒ  Ｂｏｘ、ＨＩＢ）に組み込まれて設けられてもよい。
【００１３】
乗場操作盤９及びエレベータ用操作盤１２は、操作の入力を受け付けると、入力を受け付けた操作の情報を、昇降制御装置１０に送信する。昇降制御装置１０は、乗場操作盤９及びエレベータ用操作盤１２から、入力を受け付けた操作の情報を受信する。昇降制御装置１０は、乗りかご２の現在の昇降位置及び昇降方向の情報を取得する。昇降位置は、乗りかご２のＺ方向の位置であり、例えば、乗りかご２が乗場６にある場合、１階、２階、等であり、乗りかごが乗場６にない場合、２階と３階との間、３階と４階との間、等である。昇降方向は、乗りかご２が現在移動している方向であり、上昇方向又は下降方向である。
【００１４】
昇降制御装置１０は、建物に設けられた種々のセンサ及び検出器からの出力信号を取得する。種々のセンサ及び検出器は、地震を検出するサーボ型加速度計等の揺れ検出装置、火災を検出する火災報知器及び押下操作に応じて警報を発生させる警報装置が例示されるが、本実施形態はこれらに限定されない。昇降制御装置１０は、入力を受け付けた操作の情報、乗りかご２の現在の昇降位置及び昇降方向の情報及び種々のセンサ及び検出器からの出力信号に基づいて、乗りかご２が合理的に昇降移動するように乗りかご２の着床順序を定めたり、エレベータ１の運転モードを切り替えたりする。
【００１５】
昇降制御装置１０は、巻上機５を駆動制御し、乗りかご２の昇降路７内のＺ方向の昇降移動を制御する。昇降制御装置１０は、乗りかご２を任意の目的階の乗場６に移動及び着床させ、任意の目的階の乗場６において乗りかご２の扉２ｆ及び乗場６の扉１１の開閉を制御する。扉２ｆ及び扉１１は、それぞれ、乗りかご２及び乗場６に、利用者の乗りかご２の乗降方向、すなわち図１に示すＹ方向に垂直な面状に、設けられている。利用者の乗りかご２の乗車方向は、図１に示す＋Ｙ方向であり、利用者の乗りかご２の降車方向は、図１に示す−Ｙ方向である。図１に示すＹ方向は、Ｚ方向に垂直であり、乗りかご２の水平方向の一方に相当する。エレベータ１は、任意の目的階の乗場６において乗りかご２が停止し、乗りかご２の扉２ｆ及び乗場６の扉１１が開くことにより、利用者の乗場６から乗りかご２への乗車及び乗りかご２から乗場６への降車を可能にする。本実施形態では、利用者は、人間に限定されず、盲導犬等の人間以外の動物も含む。
【００１６】
図２は、実施形態１に係るエレベータ用操作盤１２が設けられた乗りかご２の内側を扉１１の方向から見た図である。図３は、実施形態１に係るエレベータ用操作盤１２の構成例を示すブロック図である。図４は、実施形態１に係るエレベータ用操作盤１２に表示される操作画面の一例である操作画面３０を示す図である。
【００１７】
乗りかご２は、図１及び図２に示すように、側板２ａ，２ｂ，２ｃと、床板２ｄと、天井板２ｅと、図１に示す扉２ｆと、を有する。扉２ｆは、例えば２枚一組であり、図２に示すＸ方向、すなわち図１に示すＹ方向及びＺ方向に垂直な方向に開閉する。扉２ｆから向かって右側方向は、図２に示す＋Ｘ方向であり、扉２ｆから向かって左側方向は、図２に示す−Ｘ方向である。図２に示すＸ方向は、乗りかご２の水平方向の他方に相当する。側板２ａは、扉２ｆから向かって左側の乗りかご２の側面を形成し、側板２ｂは、扉２ｆから向かって奥側の乗りかご２の背面を形成し、側板２ｃは、扉２ｆから向かって右側の乗りかご２の側面を形成している。
【００１８】
本実施形態に係るエレベータ用操作盤１２は、図２に示すように、表示盤１３と、カメラ１４と、スピーカ１５と、伝送装置１６と、を有する。表示盤１３は、側板２ａの内側の面に設けられた表示盤１３ａと、側板２ｂの内側の面に設けられた表示盤１３ｂと、側板２ｃの内側の面に設けられた表示盤１３ｃと、を有し、乗りかごの側板２ａ，２ｂ，２ｃの入口から背面まで設置されている。表示盤１３は、表示盤１３ａ，１３ｂ，１３ｃが一体となって作動する。表示盤１３ａは、Ｙ方向、すなわち水平方向の長さがＷ１であり、Ｚ方向、すなわち鉛直方向の長さがＨ１の長方形状である。表示盤１３ｂは、Ｙ方向、すなわち水平方向の長さがＷ２であり、Ｚ方向、すなわち鉛直方向の長さがＨ２の長方形状である。表示盤１３ｃは、Ｙ方向、すなわち水平方向の長さがＷ３であり、Ｚ方向、すなわち鉛直方向の長さがＨ３の長方形状である。表示盤１３ａ，１３ｂ，１３ｃは、それぞれ、Ｗ１がＨ１より大きく、Ｗ２がＨ２より大きく、Ｗ３がＨ３より大きく、すなわちいずれも水平方向を長手として、面状に設けられている。表示盤１３ａ，１３ｂ，１３ｃは、いずれも、下端が床板２ｄから＋Ｚ方向に高さＦとなるように設けられている。Ｆは、利用者が車椅子に座ったまま操作できる専用操作盤が設置される高さが例示されるが、本実施形態はこれに限定されない。
【００１９】
カメラ１４は、天井板２ｅに設けられている。カメラ１４は、図３に示すように、撮像部１４ａと、位置検出処理部１４ｂと、を有する。撮像部１４ａは、乗りかご２の内部を連続的にあるいは断続的に撮像して、乗りかご２の内部の画像を取得する。位置検出処理部１４ｂは、撮像部１４ａで撮像された乗りかご２の内部の画像に基づいて、乗りかご２の内部の利用者及び利用者の位置並びに利用者の位置の変化を検出する処理を行う。スピーカ１５は、処理制御部２３の処理に応じて、音声を発生させる。
【００２０】
伝送装置１６は、カメラ１４と処理制御部２３とを通信可能に接続し、スピーカ１６と処理制御部２３とを通信可能に接続する。伝送装置１６は、カメラ１４が位置検出処理部１４ｂで検出した利用者の位置の情報を処理制御部２３へ伝送する。伝送装置１６は、処理制御部２３の処理に応じた音声の情報をスピーカ１５へ伝送する。
【００２１】
表示盤１３は、図３に示すように、表示部２１と、位置検出部２２と、処理制御部２３と、通信部２４と、記憶部２８と、を有する。表示部２１は、液晶ディスプレイ、有機ＥＬディスプレイ等の表示デバイスであり、図４に示す操作画面３０等の種々の画面を表示する。表示部２１は、複数の操作画面３０を同時に表示可能である。位置検出部２２は、面状の入力デバイスであり、利用者による接触及び接触位置を検出する。位置検出部２２は、表示部２１の全部の面に、表示部２１と一体化されて設けられているが、本実施形態はこれに限定されず、表示部２１の一部の面に設けられてもよいし、表示部２１に重ねて別個に設けられてもよい。表示部２１及び位置検出部２２は、タッチパネルが例示されるが、本実施形態はこれに限定されない。処理制御部２３は、表示部２１及び位置検出部２２の処理を制御する。
【００２２】
処理制御部２３は、位置検出部２２が検出した接触位置の情報を取得する。本実施形態では、位置検出部２２が検出する接触位置は、位置検出部２２が検出した接触領域の重心である場合を例示したが、これに限定されない。処理制御部２３は、接触位置に対応する表示部２１の位置、すなわち、接触位置と面方向に重なる表示部２１の位置である第１表示位置を算出する。処理制御部２３は、記憶部２８に記憶された操作画面３０の画像を取得する。処理制御部２３は、第１表示位置並びに操作画面３０の画像の形状及び大きさに基づいて、表示部２１における操作画面３０の表示領域を算出する。操作画面３０の表示領域は、第１表示位置を中心位置とした操作画面３０の画像の形状及び大きさの領域が例示されるが、本実施形態はこれに限定されない。処理制御部２３は、表示領域が表示部２１からはみ出る場合、表示部２１からはみ出ないように表示領域を補正する。処理制御部２３は、表示部２１の表示領域に操作画面３０を表示する。
【００２３】
操作画面３０は、エレベータ１の操作に関する操作画面の一例であり、図４に示すように、開ボタン３１と、閉ボタン３２と、登録ボタン３３と、非常ボタン３４と、を有する。開ボタン３１は、乗りかご２が任意の目的階の乗場６に着床している場合、利用者による接触に応じて、乗りかご２の扉２ｆ及び乗場６の扉１１を開く操作又は開いた状態に保持する操作、すなわち開操作の入力を受け付ける。閉ボタン３２は、乗りかご２が任意の目的階の乗場６に着床している場合、利用者による接触に応じて、乗りかご２の扉２ｆ及び乗場６の扉１１を閉じる操作、すなわち閉操作の入力を受け付ける。
【００２４】
登録ボタン３３は、移動及び着床可能な乗場６が設けられた階床の数字が付された複数のボタンを有し、各ボタンは、利用者による接触に応じて、付された数字の階床を、乗りかご２が移動及び着床する行先階に登録する操作、すなわち登録操作の入力を受け付ける。非常ボタン３４は、非常時に操作されるボタンであり、利用者による接触に応じて、スピーカ１５及びスピーカ１５に備え付けられたマイクと、乗りかご２の外部の電話２９とを接続する操作、すなわち呼出し操作の入力を受け付ける。
【００２５】
本実施形態では、操作画面は、操作画面３０に限定されず、開ボタン３１、閉ボタン３２、登録ボタン３３及び非常ボタン３４のいずれか１部のみを有する操作画面でもよく、さらにその他のエレベータの操作の入力を受け付ける機能ボタンを有する操作画面でもよく、エレベータの操作に関する入力を受け付ける種々の操作画面を含む。
【００２６】
処理制御部２３は、表示部２１が操作画面３０を表示している場合、位置検出部２２が新たに検出する接触位置が操作画面３０の表示領域内か表示領域外かを判定する。処理制御部２３は、さらに、位置検出部２２が新たに検出する接触位置が操作画面３０の各ボタンの表示領域内か表示領域外かを判定する。処理制御部２３は、位置検出部２２が新たに検出する接触位置が操作画面３０のいずれか１つのボタンの表示領域内である場合、接触位置を表示領域に含むボタンへの操作の入力を受け付け、入力を受け付けた操作に従う処理を実行する。処理制御部２３は、位置検出部２２が新たに検出する接触位置が操作画面３０の表示領域内であり、操作画面３０の各ボタンの表示領域外である場合、接触が操作画面３０への誤操作であると判定し、接触を無効であると処理する。
【００２７】
処理制御部２３は、位置検出部２２が新たに検出した接触位置が操作画面３０の表示領域外である場合、新たに検出した接触位置に対応する操作画面３０の表示領域を算出する。処理制御部２３は、すでに表示されている操作画面３０の表示領域と、新たな操作画面３０の表示領域とが重なるか否かを判定する。処理制御部２３は、これらの操作画面３０の表示領域が重ならない場合、新たな操作画面３０の表示領域に、新たに操作画面３０を表示させる。処理制御部２３は、すでに表示されている操作画面３０の表示領域と、新たな操作画面３０の表示領域とが重なる場合、すでに表示されている操作画面３０の表示領域と重ならないように、新たな操作画面３０の表示領域を補正し、補正した操作画面の表示領域に、新たに操作画面３０を表示させる。処理制御部２３は、新たな操作画面３０の表示領域を確保できない場合、接触を無効であると処理する。
【００２８】
処理制御部２３は、操作の入力を受け付けたボタンが開ボタン３１である場合、通信部２４を介して、扉２ｆ及び扉１１の開閉駆動をする扉開閉駆動部１１ａに、扉２ｆ及び扉１１を開く、あるいは扉２ｆ及び扉１１を開いた状態で保持する旨の開信号を送信する。扉開閉駆動部１１ａは、処理制御部２３から通信部２４を介して開信号を受信すると、扉２ｆ及び扉１１を開くよう、あるいは扉２ｆ及び扉１１を開いた状態で保持するよう、扉２ｆ及び扉１１を駆動する、開操作を実行する。
【００２９】
処理制御部２３は、操作の入力を受け付けたボタンが閉ボタン３２である場合、通信部２４を介して、扉２ｆ及び扉１１の開閉駆動をする扉開閉駆動部１１ａに、扉２ｆ及び扉１１を閉じる旨の閉信号を送信する。扉開閉駆動部１１ａは、処理制御部２３から通信部２４を介して閉信号を受信すると、扉２ｆ及び扉１１を閉じるよう、扉２ｆ及び扉１１を駆動する、閉操作を実行する。
【００３０】
処理制御部２３は、操作の入力を受け付けたボタンがいずれか１つの登録ボタン３３である場合、通信部２４を介して、昇降制御装置１０に、操作されたと判定されたボタンに付された数字の階床を、乗りかご２が移動及び着床する行先階に登録する旨の登録信号を送信する。昇降制御装置１０は、処理制御部２３から通信部２４を介して登録信号を受信すると、操作されたと判定されたボタンに付された数字の階床を、乗りかご２が移動及び着床する行先階に登録する、登録操作を実行する。
【００３１】
処理制御部２３は、操作の入力を受け付けたボタンが非常ボタン３４である場合、通信部２４を介して電話２９を呼出し、スピーカ１５及びスピーカ１５に備え付けられたマイクと、乗りかご２の外部の電話２９とを接続させる、呼出し操作を実行する。処理制御部２３は、スピーカ１５に備え付けられたマイクを介して、乗りかご２の内部にいる利用者の音声を電話２９に伝達し、スピーカ１５を介して、電話２９からの音声を乗りかご２の内部にいる利用者に伝達する。
【００３２】
通信部２４は、昇降制御装置１０、扉開閉駆動部１１ａ及び電話２９と無線又は有線で通信する。記憶部２８は、処理制御部２３が実行するコンピュータプログラム及び表示部２１が表示する操作画面３０等の各画像を記憶する。
【００３３】
処理制御部２３は、ＣＰＵ（Ｃｅｎｔｒａｌ  Ｐｒｏｃｅｓｓｉｎｇ  Ｕｎｉｔ）のようなプロセッサであり、コンピュータプログラムに記述された命令、すなわちデータの転送、演算、加工及び制御その他の処理を実行する装置である。処理制御部２３は、記憶部２８の一部を作業領域として使用しながら、記憶部２８に記憶されているコンピュータプログラムを実行する。このコンピュータプログラムは、ＢＩＯＳ（Ｂａｓｉｃ  Ｉｎｐｕｔ／Ｏｕｔｐｕｔ  Ｓｙｓｔｅｍ）又はＵＥＦＩ（Ｕｎｉｆｉｅｄ  Ｅｘｔｅｎｓｉｂｌｅ  Ｆｉｒｍｗａｒｅ  Ｉｎｔｅｒｆａｃｅ）、オペレーティングシステムプログラム及びエレベータ用操作盤向け処理制御プログラムである。
【００３４】
図５は、実施形態１に係るエレベータ用操作盤１２の動作の一例を示す図である。図６は、実施形態１に係るエレベータ用操作盤１２の動作の別の一例を示す図である。
【００３５】
処理制御部２３は、位置検出部２２が同時に複数の接触を検出したか否かを判定する。処理制御部２３は、位置検出部２２が同時に複数の接触を検出しなかった場合、すなわち１つのみの接触を検出した場合、位置検出部２２が検出した１つの接触位置の情報を取得し、取得した接触位置に基づいて算出した表示領域に、操作画面３０を表示させる。
【００３６】
処理制御部２３は、位置検出部２２が同時に複数の接触を検出した場合、取得した複数の接触位置に基づいて複数の表示領域を同時に算出し、同時に算出した複数の表示領域が重なるか否かを判定する。なお、同時に検出は、位置検出部２２及び処理制御部２３の１回の処理時間内の検出を含む。また、複数の表示領域が重なる場合は、複数の接触位置が１つの表示領域内にある場合であるので、処理制御部２３は、複数の接触位置が１つの表示領域内にあるか否かで、複数の表示領域が重なるか否かを判定してもよい。
【００３７】
処理制御部２３は、例えば図５に示すように、互いに離れた位置にいる利用者Ｕ１，Ｕ２による複数の接触位置Ｐ１，Ｐ２を検出し、接触位置Ｐ１，Ｐ２に基づいて算出した複数の表示領域Ｖ１，Ｖ２が重ならない場合、表示領域Ｖ１，Ｖ２に、それぞれ独立して操作画面３０を表示させる。処理制御部２３は、例えば図６に示すように、互いに近接した位置にいる利用者Ｕ３，Ｕ４による複数の接触位置Ｐ３，Ｐ４を検出し、接触位置Ｐ３，Ｐ４に基づいて算出した複数の表示領域Ｖ３，Ｖ４が重なる場合、接触位置Ｐ３，Ｐ４の中間の位置ＰＭを算出し、中間の位置ＰＭに基づいて算出した表示領域に、１つの操作画面３０を表示させる。中間の位置は、複数の接触位置の重心の位置、すなわち複数の接触位置の座標の相加平均が例示されるが、本実施形態はこれに限定されない。
【００３８】
次に、実施形態１に係るエレベータ用操作盤１２の一連の動作について説明する。図７は、実施形態１に係るエレベータ用操作盤１２の一連の動作を示すフローチャートである。位置検出部２２は、エレベータ用操作盤１２が起動状態である場合、利用者による接触及び接触位置を検出する待機状態である（ステップＳ１１、ステップＳ１１でＮｏ）。処理制御部２３は、エレベータ用操作盤１２が起動状態である場合、位置検出部２２が検出する接触及び接触位置を判定する待機状態である（ステップＳ１２）。処理制御部２３は、位置検出部２２が接触を検出した場合（ステップＳ１１でＹｅｓ）、位置検出部２２が同時に複数の接触を検出したか否かを判定する（ステップＳ１２）。
【００３９】
処理制御部２３は、位置検出部２２が同時に複数の接触を検出しなかった場合、すなわち位置検出部２２が１つのみの接触を検出した場合（ステップＳ１２でＮｏ）、位置検出部２２が検出した１つの接触位置の情報を取得し、取得した接触位置に基づいて算出した表示領域に、操作画面３０を表示させる（ステップＳ１６）。
【００４０】
処理制御部２３は、位置検出部２２が同時に複数の接触を検出した場合（ステップＳ１２でＹｅｓ）、取得した複数の接触位置に基づいて複数の表示領域を同時に算出し、同時に算出した複数の表示領域が重なるか否かを判定する（ステップＳ１３）。
【００４１】
処理制御部２３は、例えば図５に示すように、接触位置Ｐ１，Ｐ２に基づいて算出した複数の表示領域Ｖ１，Ｖ２が重ならない場合（ステップＳ１３でＮｏ）、表示領域Ｖ１，Ｖ２に、それぞれ独立して操作画面３０を表示させる（接触毎に、ステップＳ１６）。処理制御部２３は、例えば図６に示すように、接触位置Ｐ３，Ｐ４に基づいて算出した複数の表示領域Ｖ３，Ｖ４が重なる場合（ステップＳ１３でＹｅｓ）、接触位置Ｐ３，Ｐ４の中間の位置ＰＭを算出し（ステップＳ１４）、中間の位置ＰＭに基づいて算出した表示領域に、１つの操作画面３０を表示させる（ステップＳ１５）。
【００４２】
処理制御部２３は、ステップＳ１５又はステップＳ１６の処理を実行すると、位置検出部２２が新たに検出する接触位置が操作画面３０の表示領域内か表示領域外か、及び位置検出部２２が新たに検出する接触位置が操作画面３０の各ボタンの表示領域内か表示領域外か、を判定する待機状態となる（ステップＳ１７、ステップＳ１７でＮｏ）。処理制御部２３は、位置検出部２２が新たに検出する接触位置が操作画面３０のいずれか１つのボタンの表示領域内である場合、接触位置を表示領域に含むボタンへの操作の入力を受け付け（ステップＳ１７でＹｅｓ）、入力を受け付けた操作に従う処理を実行する（ステップＳ１８）。
【００４３】
実施形態１に係るエレベータ用操作盤１２は、エレベータ１の利用者の接触位置に応じた表示盤１３の表示領域に操作画面３０を表示させ、操作画面３０の各ボタンへの接触に応じて、エレベータ１の操作に関する入力を受け付ける。実施形態１に係るエレベータ用操作盤１２は、利用者の接触位置の検出及び操作画面の表示をする表示盤１３が、乗りかご２の側板２ａ，２ｂ，２ｃに渡って水平方向に長手に設けられている。そのため、実施形態１に係るエレベータ用操作盤１２は、エレベータ１の利用者がエレベータ１を操作する際、操作盤が設けられている所定の位置まで移動しなくてもよいので、使い勝手が良い。実施形態１に係るエレベータ用操作盤１２は、エレベータ１の複数の利用者が同時に表示盤１３に接触した場合、接触位置に応じて、表示盤１３において最適な操作画面３０の表示をするので、使い勝手が損なわれない。
【００４４】
なお、実施形態１に係るエレベータ用操作盤１２は、カメラ１４を有する場合を例示したが、カメラ１４を有さなくてもよい。また、実施形態１に係るエレベータ用操作盤１２は、スピーカ１５及びスピーカ１５に備え付けられたマイクを有する場合を例示したが、スピーカ１５及びスピーカ１５に備え付けられたマイクに代えて簡易の電話機を有していてもよい。また、実施形態１に係るエレベータ用操作盤１２は、伝送装置１６を有する場合を例示したが、カメラ１４、スピーカ１５及びスピーカ１５に備え付けられたマイクを有さない場合、伝送装置１６を有さなくてもよい。
【００４５】
［実施形態２］
実施形態２に係るエレベータ用操作盤１２は、実施形態１において、処理制御部２３の機能が一部変更されたものである。実施形態２に係るエレベータ用操作盤１２は、実施形態１と同様の構成に実施形態１と同一の符号群を用い、その詳細な説明を省略する。
【００４６】
処理制御部２３は、実施形態１では、位置検出部２２が検出した接触位置の情報を取得し、取得した接触位置に基づいて第１表示位置を算出するが、本実施形態では、カメラ１４が検出した利用者の位置の情報を伝送装置１６から受信し、受信した利用者の位置に基づいて、利用者から最も近い表示部２１の位置である第２表示位置を算出する。処理制御部２３は、実施形態１では、受信した第１表示位置に基づいて算出した表示部２１の表示領域に操作画面３０を表示させるが、本実施形態では、これに代えて、受信した第２表示位置に基づいて算出した表示部２１の表示領域に操作画面３０を表示させる。
【００４７】
処理制御部２３は、カメラ１４が同時に複数の利用者を検出したか否かを判定する。処理制御部２３は、カメラ１４が同時に複数の利用者を検出しなかった場合、すなわち１人のみの利用者の位置を検出した場合、１人の利用者の位置に基づいて算出した表示領域に、操作画面３０を表示させる。
【００４８】
処理制御部２３は、カメラ１４が同時に複数の利用者を検出した場合、取得した複数の利用者の位置に基づいて複数の表示領域を同時に算出し、同時に算出した複数の表示領域が重なるか否かを判定する。
【００４９】
処理制御部２３は、例えば図５に示すように、互いに離れた位置にいる利用者Ｕ１，Ｕ２を検出して複数の第２表示位置Ｐ１，Ｐ２を算出し、第２表示位置Ｐ１，Ｐ２に基づいて算出した複数の表示領域Ｖ１，Ｖ２が重ならない場合、表示領域Ｖ１，Ｖ２に、それぞれ独立して操作画面３０を表示させる。処理制御部２３は、例えば図６に示すように、互いに近接した位置にいる利用者Ｕ３，Ｕ４を検出し、複数の第２表示位置Ｐ３，Ｐ４を算出し、第２表示位置Ｐ３，Ｐ４に基づいて算出した複数の表示領域Ｖ３，Ｖ４が重なる場合、Ｐ３，Ｐ４の中間の位置ＰＭを算出し、中間の位置ＰＭに基づいて算出した表示領域に、１つの操作画面３０を表示させる。
【００５０】
処理制御部２３は、表示部２１が操作画面３０を表示している場合、位置検出部２２が新たに検出する接触位置が操作画面３０の表示領域内か表示領域外かを判定する。処理制御部２３は、位置検出部２２が新たに検出した接触位置が操作画面３０の表示領域内である場合、実施形態１と同様の処理を実行して、接触位置を表示領域に含むボタンへの操作の入力を受け付け、入力を受け付けた操作に従う処理を実行する。処理制御部２３は、位置検出部２２が新たに検出した接触位置が操作画面３０の表示領域外である場合、接触が操作画面３０への操作ではないと判定し、接触を無効であると処理する。
【００５１】
次に、実施形態２に係るエレベータ用操作盤１２の一連の動作について説明する。図８は、実施形態２に係るエレベータ用操作盤１２の一連の動作を示すフローチャートである。カメラ１４は、エレベータ用操作盤１２が起動状態である場合、利用者及び利用者の位置を検出する待機状態である（ステップＳ２１、ステップＳ２１でＮｏ）。処理制御部２３は、カメラ１４が利用者を検出した場合、例えば利用者の乗りかご２への乗り込みを検出した場合又は利用者の乗りかご２内での移動を検出した場合（ステップＳ２１でＹｅｓ）、カメラが検出した利用者の位置の情報を伝送装置１６から受信する（ステップＳ２２）。
【００５２】
処理制御部２３は、受信した利用者の位置に基づいて、利用者から最も近い表示部２１の位置である第２表示位置を算出する（ステップＳ２３）。処理制御部２３は、実施形態１において第１表示位置に対して実行した処理と同様の処理を、第２表示位置に対して実行し、算出した第２表示位置に基づいて算出した表示領域に、操作画面３０を表示させる（ステップＳ２４）。処理制御部２３は、表示された操作画面３０において、実施形態１のステップＳ１７及びステップＳ１８と同様の処理を実行して、接触位置を表示領域に含むボタンへの操作の入力を受け付け、入力を受け付けた操作に従う処理を実行する。
【００５３】
実施形態２に係るエレベータ用操作盤１２は、エレベータ１の利用者の位置に応じた表示盤１３の表示領域に操作画面３０を表示させ、操作画面３０の各ボタンへの接触に応じて、エレベータ１の操作に関する入力を受け付ける。実施形態２に係るエレベータ用操作盤１２は、実施形態１と同様に、利用者の接触位置の検出及び操作画面の表示をする表示盤１３が、乗りかご２の側板２ａ，２ｂ，２ｃに渡って水平方向に長手に設けられている。そのため、実施形態２に係るエレベータ用操作盤１２は、エレベータ１の利用者がエレベータ１を操作する際、操作盤が設けられている所定の位置まで移動しなくてもよいので、使い勝手が良い。実施形態２に係るエレベータ用操作盤１２は、エレベータ１の複数の利用者の移動する位置に応じて、表示盤１３において最適な操作画面３０の表示をするので、使い勝手が損なわれない。
【００５４】
なお、実施形態２に係るエレベータ用操作盤１２は、カメラ１４の位置処理検出部１４ｂが撮像部１４ａで撮像された乗りかご２の内部の画像に基づいて、乗りかご２の内部の利用者及び利用者の位置並びに利用者の位置の変化を検出する処理を行うが、この処理を代わりに処理制御部２３が行ってもよい。この場合、実施形態２に係るエレベータ用操作盤１２は、カメラ１４の位置処理検出部１４ｂを有さなくてもよい。
【００５５】
［実施形態３］
実施形態３に係るエレベータ用操作盤１２は、実施形態１において、位置検出部２２及び処理制御部２３の機能が一部追加されたものである。実施形態３に係るエレベータ用操作盤１２は、実施形態１と同様の構成に実施形態１と同一の符号群を用い、その詳細な説明を省略する。
【００５６】
位置検出部２２は、接触を検出した時間、すなわち接触の検出を開始してから終了するまでの時間である接触時間を検出する。処理制御部２３は、位置検出部２２が検出した接触時間が閾値時間以内であるか閾値時間より長いかを判定する。処理制御部２３は、位置検出部２２が検出した接触時間が閾値時間以内である場合、実施形態１と同様の処理を実行して、接触位置に基づいて算出した表示部２１の表示領域に、操作画面３０を表示させる。処理制御部２３は、位置検出部２２が検出した接触時間が閾値時間より長い場合、接触が表示盤１３への誤操作であると判定し、接触を無効であると処理する。すなわち、処理制御部２３は、位置検出部２２が検出した接触時間が閾値時間より長い場合、表示部２１に操作画面３０を表示させない。
【００５７】
次に、実施形態３に係るエレベータ用操作盤１２の一連の動作について説明する。図９は、実施形態３に係るエレベータ用操作盤１２の一連の動作を示すフローチャートである。位置検出部２２は、実施形態１のステップＳ１１とほぼ同様に、エレベータ用操作盤１２が起動状態である場合、利用者による接触、接触位置及び接触時間を検出する待機状態である（ステップＳ３１、ステップＳ３１でＮｏ）。処理制御部２３は、実施形態１のステップ１１とほぼ同様に、エレベータ用操作盤１２が起動状態である場合、位置検出部２２が検出する接触、接触位置及び接触時間を判定する待機状態である。処理制御部２３は、位置検出部２２が接触を検出した場合（ステップＳ３１でＹｅｓ）、位置検出部２２が検出した接触時間が閾値時間以内であるか閾値時間より長いかを判定する（ステップＳ３２）。
【００５８】
処理制御部２３は、位置検出部２２が検出した接触時間が閾値時間以内である場合（ステップＳ３２でＹｅｓ）、実施形態１のステップＳ１６と同様の処理を実行して、接触位置に基づいて算出した表示部２１の表示領域に、操作画面３０を表示させる（ステップＳ３３）。処理制御部２３は、位置検出部２２が検出した接触時間が閾値時間より長い場合（ステップＳ３２でＮｏ）、接触が表示盤１３への誤操作であると判定し、接触を無効であると処理する（ステップＳ３４）。
【００５９】
実施形態３に係るエレベータ用操作盤１２は、例えば、エレベータ１の利用者が表示盤１３にもたれかかる場合及び利用者が操作盤１３に荷物を立て掛ける場合等といった利用者が意図しないで表示盤１３に閾値時間より長い時間の接触が検出されてしまう場合、接触を無効であると処理する。そのため、実施形態３に係るエレベータ用操作盤１２は、利用者が意図しないで行われた閾値時間より長い時間の接触を検出してしまうことにより生じる、操作画面３０の表示及び誤操作の入力の受付を防止することが出来る。
【００６０】
［実施形態４］
実施形態４に係るエレベータ用操作盤１２は、実施形態１において、表示部２１、位置検出部２２及び処理制御部２３の機能が一部追加され、記憶部２８に画像が追加して記憶されたものである。実施形態４に係るエレベータ用操作盤１２は、実施形態１と同様の構成に実施形態１と同一の符号群を用い、その詳細な説明を省略する。図１０は、実施形態４に係るエレベータ用操作盤１２に表示される広告画面５０の一例を示す図である。
【００６１】
処理制御部２３は、操作画面３０のボタンへの操作の入力を受け付けた場合、表示部２１に、操作の入力を受け付けたボタンを含む操作画面３０を非表示とさせる。処理制御部２３は、操作画面３０のボタンへの操作の入力を受け付けない状態で設定した時間が経過した場合、すなわち操作画面３０が設定した時間放置された場合、表示部２１に、操作の入力を受け付けたボタンを含む操作画面３０を非表示とさせる。
【００６２】
処理制御部２３は、表示部２１が操作画面３０を表示していない場合、表示部２１に、図１０に示す広告画面５０を表示させる。広告画面５０は、広告画像５１と、広告画像５１上を移動する操作画面表示ボタン５２とを有する。広告画像５１及び操作画面表示ボタン５２の画像は、記憶部２８に記憶されている。処理制御部２３は、記憶部２８から広告画像５１及び操作画面表示ボタン５２の画像を取得して広告画面５０の画像を生成し、表示部２１に広告画面５０を表示させる。
【００６３】
広告画像５１は、広告又は町の情報等を含む画像であり、外部から通信部２４を介して随時更新される。処理制御部２３は、表示部２１の全面に広告画像５１を表示させている場合を例示しているが、本実施形態はこれに限定されず、例えば、表示部２１の一部に広告画像５１を表示させてもよいし、時間とともに表示部２１に表示させる広告画像５１を変化させてもよい。
【００６４】
操作画面表示ボタン５２は、利用者による接触に応じて、表示部２１に操作画面３０を再表示させる操作の入力を受け付ける。操作画面表示ボタン５２は、表示領域が右上に向かって移動しているものを例示して図１０に示しているが、本実施形態はこれに限定されず、例えば、表示領域が表示部２１の水平方向又は鉛直方向に移動してもよく、表示領域が表示部２１の斜め方向に移動してもよく、表示領域が表示部２１の側端まで移動した際に側端で反射された方向に移動してもよく、表示領域が表示部２１の側端まで移動した際に対向する側端にループして移動してもよい。操作画面表示ボタン５２は、表示領域が一定の速度で移動することが好ましく、利用者が接触可能な速度で表示領域が移動することが好ましく、利用者が利用者の付近に来るまでに長い時間を待つ必要がない速度で表示領域が移動することが好ましい。
【００６５】
処理制御部２３は、表示部２１が広告画面５０を表示している場合、位置検出部２２が新たに検出する接触位置が操作画面表示ボタン５２の表示領域内か表示領域外かを判定する。処理制御部２３は、位置検出部２２が新たに検出する接触位置が操作画面表示ボタン５２の表示領域内である場合、操作画面表示ボタン５２への操作の入力を受け付け、接触位置に応じた表示部２１の表示位置に操作画面３０を再表示させる。処理制御部２３は、位置検出部２２が新たに検出する接触位置が操作画面表示ボタン５２の表示領域外である場合、接触が誤操作であると判定し、接触を無効であると処理する。
【００６６】
次に、実施形態４に係るエレベータ用操作盤１２の一連の動作について説明する。図１１は、実施形態４に係るエレベータ用操作盤１２の一連の動作を示すフローチャートである。処理制御部２３は、実施形態１のステップＳ１６と同様の処理を実行して、接触位置に基づいて算出した表示部２１の表示領域に、操作画面３０を表示させる（ステップＳ４１）。処理制御部２３は、実施形態１のステップＳ１７と同様の処理を実行して、ステップＳ４１の処理を実行すると、操作画面３０への操作の入力を受け付ける待機状態となる（ステップＳ４２）。
【００６７】
処理制御部２３は、操作画面３０のボタンへの操作の入力を受け付けた場合（ステップＳ４２でＹｅｓ）、実施形態１のステップＳ１８と同様の処理を実行して、入力を受け付けた操作に従う処理を実行する（ステップＳ４３）。処理制御部は、ステップＳ４３の処理を実行した後、表示部２１に、操作の入力を受け付けたボタンを含む操作画面３０を非表示とさせる（ステップＳ４５）。
【００６８】
処理制御部２３は、操作画面３０のボタンへの操作の入力を受け付けない状態で設定した時間が経過した場合、すなわち操作画面３０が設定した時間放置された場合（ステップＳ４２でＮｏ、ステップＳ４４）、表示部２１に、操作の入力を受け付けたボタンを含む操作画面３０を非表示とさせる（ステップＳ４５）。
【００６９】
処理制御部２３は、ステップＳ４５の処理を実行した後、表示部２１に、図１０に示す、広告画像５１と、広告画像５１上を移動する操作画面表示ボタン５２とを有する広告画面５０を表示させる（ステップＳ４６）。
【００７０】
処理制御部２３は、ステップＳ４６の処理を実行すると、位置検出部２２が新たに検出する接触位置が操作画面表示ボタン５２の表示領域内か表示領域外かを判定する待機状態となる（ステップＳ４７、ステップＳ４７でＮｏ）。処理制御部２３は、位置検出部２２が新たに検出する接触位置が操作画面表示ボタン５２の表示領域内である場合、操作画面表示ボタン５２への操作の入力を受け付け（ステップＳ４７でＹｅｓ）、表示部２１に操作画面３０を再表示させる（新たなステップＳ４１）。
【００７１】
実施形態４に係るエレベータ用操作盤１２は、表示部２１に表示させた操作画面３０が、利用者に操作された場合又は利用者に操作されずに放置された場合、操作画面３０が利用者に操作される確率が低いと考えられるため、操作画面３０を非表示とさせる。そして、実施形態４に係るエレベータ用操作盤１２は、操作画面３０を非表示とさせる代わりに、表示盤１３に広告又は町の情報等を含む広告画像５１と、操作画面３０を再表示させるための操作画面表示ボタン５２と、を有する広告画面５０を表示する。そのため、実施形態４に係るエレベータ用操作盤１２は、操作画面３０が操作される確率が低いと考えられる場合、エレベータ１の利用者が表示盤１３の広告画面５０から多様な情報を入手でき、かつ、必要に応じて操作画面３０を再表示させてエレベータ１に関する操作を入力できるので、使い勝手が良い。
【００７２】
［実施形態５］
実施形態５に係るエレベータ用操作盤１２は、実施形態１において、表示部２１及び処理制御部２３の機能が一部追加され、記憶部２８に表示画像が追加して記憶されたものである。実施形態５に係るエレベータ用操作盤１２は、実施形態１と同様の構成に実施形態１と同一の符号群を用い、その詳細な説明を省略する。
【００７３】
昇降制御装置１０は、建物に設けられた種々のセンサ及び検出器からの出力信号を取得した場合、この出力信号が所定の条件を満たすかどうかを判定する。昇降制御装置１０は、この出力信号が所定の条件を満たす場合、すなわち、災害が発生したと判定した場合、エレベータ１の運転モードを、通常のモードから災害発生時のモードに切り替える。所定の条件を満たす出力信号は、サーボ型加速度計等の揺れ検出装置による地震の検出信号、火災報知器による火災の検出信号及び警報装置が押下操作された旨の信号が例示されるが、本実施形態はこれらに限定されない。昇降制御装置１０は、エレベータ１の運転モードを災害発生時のモードに切り替えた場合、乗りかご２の現在の昇降位置から最も近い階床へ乗りかごを昇降移動させて扉２ｆ及び扉１１を開き、又は予め設定された特定の階床へ乗りかご２を昇降移動させて扉２ｆ及び扉１１を開き、エレベータ１の利用者に建物からの避難を促す。昇降制御装置１０は、エレベータ１の運転モードが災害発生時のモードに切り替えられた旨の信号を、処理制御部２３へ送信する。処理制御部２３は、エレベータ１の運転モードが災害発生時のモードに切り替えられた旨の信号を、通信部２４を介して受信する。
【００７４】
処理制御部２３は、エレベータ１の運転モードが災害発生時のモードに切り替えられた旨の信号を受信した場合、表示部２１の表示を災害発生時のモードに切り替える。すなわち、処理制御部２３は、記憶部２８に記憶された災害発生時用の表示画像を取得し、表示部２１に、記憶部２８から取得した災害発生時用の表示画像を表示させる。
【００７５】
災害発生時用の表示画像は、エレベータ１が設けられた建物の避難経路を示す地図、建物付近の避難場所を示す地図、建物付近の警察署の場所を示す地図及び建物付近の消防署の場所を示す地図が例示されるが、本実施形態はこれらに限定されない。記憶部２８に記憶された災害発生時用の表示画像は、外部から通信部２４を介して随時更新される。処理制御部２３は、表示部２１の全面に災害発生時用の表示画像を表示させてもよいし、表示部２１の一部に災害発生時用の表示画像を表示させてもよいし、時間とともに表示部２１に表示させる災害発生時用の表示画像を変化させてもよい。
【００７６】
次に、実施形態５に係るエレベータ用操作盤１２の一連の動作について説明する。図１２は、実施形態５に係るエレベータ用操作盤１２を含むエレベータ１の一連の動作を示すフローチャートである。昇降制御装置１０は、エレベータ１が起動状態である場合、建物に設けられた種々のセンサ及び検出器からの出力信号を取得する待機状態である（ステップＳ５１、ステップＳ５１でＮｏ）。昇降制御装置１０は、センサ及び検出器からの出力信号を取得した場合（ステップＳ５１でＹｅｓ）、この出力信号が所定の条件を満たすかどうかを判定する（ステップＳ５２）。
【００７７】
昇降制御装置１０は、センサ及び検出器からの出力信号が所定の条件を満たさない場合（ステップＳ５２でＮｏ）、ステップＳ５１の処理に戻る。昇降制御装置１０は、センサ及び検出器からの出力信号が所定の条件を満たす場合、すなわち災害が発生したと判定した場合（ステップＳ５２でＹｅｓ）、エレベータ１の運転モードを、通常のモードから災害発生時のモードに切り替え、エレベータ１の運転モードが災害発生時のモードに切り替えられた旨の信号を、処理制御部２３へ送信する（ステップＳ５３）。
【００７８】
処理制御部２３は、エレベータ１の運転モードが災害発生時のモードに切り替えられた旨の信号を、通信部２４を介して受信した場合、表示部２１に、記憶部２８から取得した災害発生時用の表示画像を表示させる（ステップＳ５４）。
【００７９】
実施形態５に係るエレベータ用操作盤１２は、災害が発生したと判定された場合、表示部２１に、災害発生時用の表示画像を表示させる。例えば、実施形態５に係るエレベータ用操作盤１２は、災害が発生したと判定された場合、エレベータ１の利用者に、建物の避難経路、この建物付近の避難場所、この建物付近の警察署の場所及びこの建物付近の消防署の場所、の少なくとも１つを示す。そのため、実施形態５に係るエレベータ用操作盤１２は、利用者に安全性の高いエレベータ１を提供することができる。
【００８０】
［実施形態６］
実施形態６に係るエレベータ用操作盤１２は、実施形態１において、スピーカ１５、伝送装置１６、表示部２１、位置検出部２２及び処理制御部２３の機能が、それぞれ一部追加され、記憶部２８に、特殊なタイプの操作画面の画像及び特殊なタイプの操作画面への入力の案内に関する音声データが、追加して記憶されたものである。実施形態６に係るエレベータ用操作盤１２は、実施形態１と同様の構成に実施形態１と同一の符号群を用い、その詳細な説明を省略する。
【００８１】
位置検出部２２は、接触領域の面積である接触面積を検出する。処理制御部２３は、位置検出部２２が検出した接触面積の情報を取得し、位置検出部２２が検出した接触面積が閾値面積以下であるか閾値面積より大きいかを判定する。閾値面積は、利用者の指の断面積程度及び操作画面３０の各ボタンの操作が可能な程度の面積が例示されるが、本実施形態はこれらに限定されない。処理制御部２３は、位置検出部２２が検出した接触面積が利用者の指の断面積程度以下であると判定した場合、いわゆる健常者による接触であると判断して健常者向けの操作の入力を受け付けるモードとし、位置検出部２２が検出した接触面積が利用者の指の断面積程度より大きいと判定した場合、いわゆる身体障害者による接触であると判断して身体障害者向けの操作の入力を受け付けるモードとする処理を実行することが例示されるが、本実施形態はこれに限定されない。
【００８２】
処理制御部２３は、位置検出部２２が検出した接触面積が閾値面積以下である場合、実施形態１と同様に、表示部２１に通常のタイプの操作画面３０を表示させ、実施形態１と同様の処理を実行する。処理制御部２３は、位置検出部２２が検出した接触面積が閾値面積より大きい場合、記憶部２８から特殊なタイプの操作画面の画像を取得し、表示部２１の表示領域を算出し、表示部２１の表示領域に、特殊なタイプの操作画面を表示させる。特殊なタイプの操作画面は、手書きでの入力を受け付ける操作画面が例示されるが、本実施形態はこれに限定されない。
【００８３】
処理制御部２３は、表示部２１に特殊なタイプの操作画面を表示させた後、位置検出部２２を、利用者による手書きでの入力を受け付ける待機状態とする。処理制御部２３は、表示部２１に特殊なタイプの操作画面を表示させた後、記憶部２８に記憶された、特殊なタイプの操作画面への入力の案内に関する音声データを取得し、伝送装置１６を介してスピーカ１５に、音声による特殊なタイプの操作画面への入力の案内をさせる。スピーカ１５は、処理制御部２３の処理に応じて、音声による特殊なタイプの操作画面への入力の案内を実行する。
【００８４】
処理制御部２３は、表示部２１に手書きでの入力を受け付ける操作画面を表示させている場合、スピーカ１５に、利用者がエレベータ１に入力したい操作を操作画面に手書きで入力するように、音声で案内させる。処理制御部２３は、例えば、利用者が扉２ｆ及び扉１１の開操作を入力したい場合、操作画面に「開」、「開く」又は「ひらく」と手書きで入力するようにスピーカ１５に案内させ、利用者が扉２ｆ及び扉１１の閉操作を入力したい場合、操作画面に「閉」、「閉じる」又は「とじる」と手書きで入力するようにスピーカ１５に案内させ、利用者が登録操作を入力したい場合、操作画面に「移動及び着床する行先階に登録したい数字」をアラビア数字又は漢数字で手書きで入力するようにスピーカ１５に案内させ、利用者が呼出し操作を入力したい場合、操作画面に「呼」、「呼出し」、「よぶ」又は「よびだし」と手書きで入力するようにスピーカ１５に案内させる。
【００８５】
処理制御部２３は、位置検出部２２が利用者による手書きでの入力を受け付けると、手書きで入力された文字を判断する。処理制御部２３は、手書きで入力された文字を判断できなかった場合、スピーカ１５に、利用者がエレベータ１に入力したい操作を操作画面に再度手書きで入力するように、音声で案内させる。処理制御部２３は、手書きで入力された文字を判断できた場合、スピーカ１５に、利用者により入力された文字に従う操作の内容を、音声で案内させる。処理制御部２３は、手書きで入力された文字を判断できた場合、さらに、スピーカ１５に、案内した操作の内容が利用者の目的と一致する場合には利用者が操作画面を接触しないように、案内した操作の内容が利用者の目的と一致しない場合には利用者が操作画面を接触するように、音声で案内させ、位置検出部２２における操作画面の表示領域を、利用者による接触を検出する待機状態とする。
【００８６】
処理制御部２３は、スピーカ１５に、案内した操作の内容が利用者の目的と一致するか否かに応じて利用者が操作画面を接触するか接触しないかで応答するように、音声で案内させた後、規定時間内に位置検出部２２が操作画面において利用者による接触を検出しなかった場合、案内した操作の内容について操作の入力を受け付け、実施形態１と同様に、入力を受け付けた操作に従う処理を実行する。
【００８７】
処理制御部２３は、スピーカ１５に、案内した操作の内容が利用者の目的と一致するか否かに応じて利用者が操作画面を接触するか接触しないかで応答するように、音声で案内させた後、規定時間内に位置検出部２２が操作画面において利用者による接触を検出した場合、再度、表示部２１に手書きでの入力を受け付ける操作画面を表示させる。そして、処理制御部２３は、スピーカ１５に、利用者がエレベータ１に入力したい操作を操作画面に再度手書きで入力するように、音声で案内させる。
【００８８】
次に、実施形態６に係るエレベータ用操作盤１２の一連の動作について説明する。図１３は、実施形態６に係るエレベータ用操作盤１２の一連の動作を示すフローチャートである。位置検出部２２は、実施形態１のステップＳ１１と同様に、エレベータ用操作盤１２が起動状態である場合、利用者による接触及び接触位置を検出する待機状態である（ステップＳ６１、ステップＳ６１でＮｏ）。処理制御部２３は、実施形態１のステップＳ１１と同様に、エレベータ用操作盤１２が起動状態である場合、位置検出部２２が検出する接触及び接触位置を判定する待機状態である。処理制御部２３は、位置検出部２２が接触を検出した場合（ステップＳ６１でＹｅｓ）、位置検出部２２が検出した接触面積の情報を取得する（ステップＳ６２）。
【００８９】
処理制御部２３は、位置検出部２２が検出した接触面積が閾値面積以下であるか閾値面積より大きいかを判定する（ステップＳ６３）。処理制御部２３は、接触面積が閾値面積以下である場合（ステップＳ６３でＹｅｓ）、実施形態１のステップＳ１６と同様の処理を実行して、接触位置に基づいて算出した表示部２１の表示領域に、操作画面３０を表示させる（ステップＳ６４）。処理制御部２３は、ステップＳ６４の処理を実行すると、実施形態１のステップＳ１７と同様の処理を実行して、操作画面３０への操作の入力を受け付ける待機状態となる（ステップＳ６５、ステップＳ６５でＮｏ）。処理制御部２３は、操作画面３０のボタンへの操作の入力を受け付けた場合（ステップＳ６５でＹｅｓ）、実施形態１のステップＳ１８と同様の処理を実行して、入力を受け付けた操作に従う処理を実行する（ステップＳ６６）。
【００９０】
処理制御部２３は、位置検出部２２が検出した接触面積が閾値面積より大きい場合（ステップＳ６３でＮｏ）、表示部２１の表示領域に、手書きでの入力を受け付ける特殊なタイプの操作画面を表示させる（ステップＳ６７）。処理制御部２３は、ステップＳ６７の処理を実行した後、位置検出部２２を、利用者による手書きでの入力を受け付ける待機状態とする。処理制御部２３は、ステップＳ６７の処理を実行した後、スピーカ１５に、利用者がエレベータ１に入力したい操作を操作画面に手書きで入力するように、音声で案内させる（ステップＳ６８）。
【００９１】
処理制御部２３は、位置検出部２２が利用者による手書きでの入力を受け付けると、手書きで入力された文字を判断する（ステップＳ６９）。処理制御部２３は、手書きで入力された文字を判断できなかった場合（ステップＳ６９でＮｏ）、スピーカ１５に、利用者がエレベータ１に入力したい操作を操作画面に再度手書きで入力するように、音声で案内させ、ステップＳ６９の処理に戻る。
【００９２】
処理制御部２３は、手書きで入力された文字を判断できた場合（ステップＳ６９でＹｅｓ）、スピーカ１５に、利用者により入力された文字に従う操作の内容を、音声で案内させる（ステップＳ７０）。処理制御部２３は、ステップＳ７０の処理を実行した後、スピーカ１５に、ステップＳ７０で案内した操作の内容が利用者の目的と一致する場合には利用者が操作画面を接触しないように、ステップＳ７０で案内した操作の内容が利用者の目的と一致しない場合には利用者が操作画面を接触するように、音声で案内させる（ステップＳ７１）。処理制御部２３は、ステップＳ７１の処理を実行した後、位置検出部２２における操作画面の表示領域を、利用者による接触を検出する待機状態とする（ステップＳ７２）。
【００９３】
処理制御部２３は、ステップＳ７１の処理を実行した後、規定時間内に位置検出部２２が操作画面において利用者による接触を検出しなかった場合（ステップＳ７２でＮｏ）、ステップＳ７０で案内した操作の内容について操作の入力を受け付け（ステップＳ７３）、実施形態１のステップＳ１８と同様の処理を実行して、入力を受け付けた操作に従う処理を実行する（ステップＳ６６）。
【００９４】
処理制御部２３は、ステップＳ７１の処理を実行した後、規定時間内に位置検出部２２が操作画面において利用者による接触を検出した場合（ステップＳ７２でＹｅｓ）、ステップＳ６８の処理に戻り、スピーカ１５に、利用者がエレベータ１に入力したい操作を操作画面に再度手書きで入力するように、音声で案内させる（ステップＳ６８）。
【００９５】
実施形態６に係るエレベータ用操作盤１２は、接触面積が閾値面積、例えば利用者の指の断面積程度以下である場合、実施形態１と同様の処理を実行し、接触面積が閾値面積より大きい場合、手書きでの入力を受け付ける特殊なタイプの操作画面を表示させる。すなわち、実施形態６に係るエレベータ用操作盤１２は、例えば障害をもつために、手のひらの面積程度の接触しかできず、指の断面積程度の接触が困難であり、操作画面３０の各ボタンの操作が困難であると考えられるエレベータ１の利用者に、エレベータ１の操作に関する手書きでの入力を可能にするので、使い勝手が良い。
【００９６】
［実施形態７］
実施形態７に係るエレベータ用操作盤１２は、実施形態１において、表示部２１及び処理制御部２３の機能が一部追加され、記憶部２８に操作画面の画像が追加して記憶されたものである。実施形態７に係るエレベータ用操作盤１２は、実施形態１と同様の構成に実施形態１と同一の符号群を用い、その詳細な説明を省略する。
【００９７】
扉開閉駆動部１１ａは、エレベータ１が起動状態となった場合、扉２ｆ及び扉１１を閉じる操作が行われているか否か、すなわち閉操作を実行しているか否かを判定する。扉開閉駆動部１１ａは、閉操作を実行している場合、閉操作を実行している旨の信号を、処理制御部２３へ送信する。処理制御部２３は、扉開閉駆動部１１ａから、閉操作を実行している旨の信号を、通信部２４を介して受信する。処理制御部２３は、閉操作を実行している旨の信号を受信した場合、表示部２１の表示を閉操作実行時のモードに切り替える。すなわち、処理制御部２３は、記憶部２８に記憶された閉操作実行時用の操作画面の画像を取得し、表示部２１に表示させる。閉操作実行時用の操作画面は、閉操作の入力を受け付ける機能を除外した操作画面であり、操作画面３０から閉ボタン３２を除外した操作画面及び開ボタン３１のみの操作画面が例示されるが、本実施形態はこれらに限定されない。
【００９８】
処理制御部２３は、接触位置に基づいて算出した表示部２１の第１表示位置に、閉操作実行時用の操作画面を表示させてもよいし、閉操作を実行している旨の信号の受信に応じて、表示部２１に適宜、閉操作実行時用の操作画面を表示させてもよい。
【００９９】
次に、実施形態７に係るエレベータ用操作盤１２の一連の動作について説明する。図１４は、実施形態７に係るエレベータ用操作盤１２を含むエレベータ１の一連の動作を示すフローチャートである。扉開閉駆動部１１ａは、エレベータ１が起動状態である場合、閉操作を実行しているか否かを判定する待機状態である（ステップＳ８１、ステップＳ８１でＮｏ）。扉開閉駆動部１１ａは、閉操作を実行している場合（ステップＳ８１でＹｅｓ）、閉操作を実行している旨の信号を、処理制御部２３へ送信する。処理制御部２３は、扉開閉駆動部１１ａから、閉操作を実行している旨の信号を、通信部２４を介して受信する。処理制御部２３は、閉操作を実行している旨の信号を受信した場合、閉操作実行時用の操作画面を、表示部２１に表示させる（ステップＳ８２）。
【０１００】
実施形態７に係るエレベータ用操作盤１２は、扉２ｆ及び扉１１を閉じる操作が行われている際、表示部２１に、扉２ｆ及び扉１１を閉じる操作の入力を受け付ける機能を除外した操作画面を表示させるので、利用者が扉２ｆ及び扉１１を開く操作を入力したい際に、扉２ｆ及び扉１１を閉じる操作を入力する誤操作を防止することができる。
【０１０１】
［実施形態８］
実施形態８に係るエレベータ用操作盤１２は、実施形態１において、表示部２１及び処理制御部２３の機能が一部追加され、記憶部２８に操作画面の画像が追加して記憶されたものである。実施形態８に係るエレベータ用操作盤１２は、実施形態１と同様の構成に実施形態１と同一の符号群を用い、その詳細な説明を省略する。
【０１０２】
昇降制御装置１０は、エレベータ１が起動状態である場合、乗りかご２が昇降方向に移動しているか否かを判定する待機状態である。昇降方向に移動している場合は、昇降方向がすでに決定しており、乗りかご２が一時的に任意の目的階の乗場６で着床している場合を含んでもよい。昇降制御装置１０は、乗りかご２が昇降方向に移動している場合、乗りかご２の現在の昇降位置及び昇降方向の情報と、乗りかご２が移動及び着床する行先階に登録済みの階の情報とを、処理制御部２３へ送信する。
【０１０３】
処理制御部２３は、昇降制御装置１０から、乗りかご２の現在の昇降位置及び昇降方向の情報と、行先階に登録済みの階の情報とを、通信部２４を介して受信する。そして、処理制御部２３は、乗りかごの現在の昇降位置より現在の昇降方向と反対側にある階と、行先階に登録済みの階とを、行先階に追加で登録不可能な階として抽出する。
【０１０４】
処理制御部２３は、記憶部２８から、行先階に追加で登録不可能な階についての登録操作の入力を受け付ける機能を除外した操作画面の画像を取得し、接触位置に基づいて算出する表示部２１の第１表示位置に表示させる。行先階に追加で登録不可能な階についての登録操作の入力を受け付ける機能を除外した操作画面は、行先階に追加で登録不可能な階についての登録ボタン３３を操作画面３０から除外した操作画面及び行先階に追加で登録不可能な階を除くすべての階、すなわち行先階に追加で登録可能な階についての登録ボタン３３のみの操作画面が例示されるが、本実施形態はこれらに限定されない。
【０１０５】
処理制御部２３は、例えば、建物内に着床可能な乗場６が設けられた階床が１階から６階まであり、５階が行先階に登録済みであり、乗りかご２が３階から上昇し始めた場合、３階より少し上昇した位置から下降方向にある１階、２階及び３階と、行先階に登録済みの５階とを、行先階に追加で登録不可能な階として抽出する。そして、処理制御部２３は、１階、２階、３階及び５階についての登録ボタン３３を操作画面３０から除外し、４階と６階についてのみの登録ボタン３３を含む操作画面を、接触位置に基づいて算出する表示部２１の第１表示位置に表示させる。
【０１０６】
次に、実施形態８に係るエレベータ用操作盤１２の一連の動作について説明する。図１５は、実施形態８に係るエレベータ用操作盤１２を含むエレベータ１の一連の動作を示すフローチャートである。昇降制御装置１０は、エレベータ１が起動状態である場合、乗りかご２が昇降方向に移動しているか否かを判定する待機状態である（ステップＳ９１、ステップＳ９１でＮｏ）。昇降制御装置１０は、乗りかご２が昇降方向に移動している場合（ステップＳ９１でＹｅｓ）、乗りかご２の現在の昇降位置及び昇降方向の情報と、行先階に登録済みの階の情報とを、処理制御部２３へ送信する。処理制御部２３は、昇降制御装置１０から、乗りかご２の現在の昇降位置及び昇降方向の情報と、行先階に登録済みの階の情報とを、通信部２４を介して受信する（ステップＳ９２）。
【０１０７】
処理制御部２３は、乗りかごの現在の昇降位置より現在の昇降方向と反対側にある階と、行先階に登録済みの階とを、行先階に追加で登録不可能な階として抽出する（ステップＳ９３）。処理制御部２３は、行先階に追加で登録不可能な階についての登録操作の入力を受け付ける機能を除外した操作画面を、接触位置に基づいて算出する表示部２１の第１表示位置に表示させる（ステップＳ９４）。
【０１０８】
実施形態８に係るエレベータ用操作盤１２は、乗りかごの現在の昇降位置及び昇降方向と、行先階に登録済みの階の情報とに基づいて、行先階に追加で登録不可能な階を抽出し、行先階に追加で登録不可能な階についての登録操作の入力を受け付ける機能を除外した操作画面を表示するので、利用者が登録操作を行う際、行先階に追加で登録不可能な階を行先階に登録する誤操作の入力を防止し、操作性を向上させることが出来る。
【０１０９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０１１０】
１…エレベータ、２…乗りかご、２ａ，２ｂ，２ｃ…側板、２ｄ…床板、２ｅ…天井板、２ｆ…（乗りかごの）扉、３…カウンタウェイト、４…メインロープ、５…巻上機、５ａ…メインシーブ、５ｂ…そらせシーブ、５ｃ…電動機、６…乗場、７…昇降路、９…乗場操作盤、１０…昇降制御装置、１１…（乗場の）扉、１１ａ…扉開閉駆動部、１２…エレベータ用操作盤、１３，１３ａ，１３ｂ，１３ｃ…表示盤、１４…カメラ、１５…スピーカ、１６…伝送装置、２１…表示部、２２…位置検出部、２３…処理制御部、２４…通信部、２８…記憶部、２９…電話、３０…操作画面、３１…開ボタン、３２…閉ボタン、３３…登録ボタン、３４…非常ボタン、５０…広告画面、５１…広告画像、５２…操作画面表示ボタン、Ｈ１，Ｈ２，Ｈ３…鉛直方向の長さ、Ｗ１，Ｗ２，Ｗ３…水平方向の長さ、Ｆ…高さ、Ｐ１，Ｐ２，Ｐ３，Ｐ４…接触位置／第１，第２表示位置（表示位置）、ＰＭ…中間の位置、Ｕ１，Ｕ２，Ｕ３，Ｕ４…利用者、Ｖ１，Ｖ２，Ｖ３，Ｖ４…表示領域。
【要約】
【課題】エレベータの利用者が、エレベータを操作する際、操作盤が設けられた所定の位置まで移動しなくてもよいエレベータ用操作盤を提供すること。
【解決手段】エレベータ用操作盤１２が備える表示盤１３は、表示部２１と、位置検出部２２と、処理制御部２３と、を備える。処理制御部２３は、位置検出部２２が検出した接触位置に基づいて、操作画面を表示する表示部２１上の表示領域を算出し、表示領域に操作画面を表示させ、表示された操作画面の表示領域内への接触を位置検出部２２が検出した場合、操作画面への操作を受け付ける。処理制御部２３は、位置検出部２２で同時に複数の接触位置を検出した場合、それらの接触位置に基づいてそれぞれ算出する表示領域が重なるか否かに応じて、適宜操作画面の表示方法を変更する。
【選択図】図３【図１】
0005996725.tif 000002
【図２】
0005996725.tif 000003
【図３】
0005996725.tif 000004
【図４】
0005996725.tif 000005
【図５】
0005996725.tif 000006
【図６】
0005996725.tif 000007
【図７】
0005996725.tif 000008
【図８】
0005996725.tif 000009
【図９】
0005996725.tif 000010
【図１０】
0005996725.tif 000011
【図１１】
0005996725.tif 000012
【図１２】
0005996725.tif 000013
【図１３】
0005996725.tif 000014
【図１４】
0005996725.tif 000015
【図１５】
0005996725.tif 000016